(57)【要約】【課題】内面が光反射面である光ダクトが結合される光ダクト用放光装置であって、コストが低く、太陽の高度が高いときに自動的に減光することができる光ダクト用放光装置を提供する。【解決手段】屋外から光を導入する光ダクト１０２が結合される浴室ユニット１において、浴室ユニット１の天井４に放光口６を形成し、この放光口６において光ダクト１０２の下端面を開口させる。また、放光口６の下方に円筒形のブラケット７を取り付け、ブラケット７の底面の中央領域に反射板１０を設ける。反射板１０は、光ダクト１０２の下端部の中心軸上に配置する。これにより、太陽高度が高いときは、太陽光Ｌｈの一部が反射板１０によって遮断されるが、太陽高度が低いときは、太陽光Ｌｌはほとんど遮断されない。【選択図】図１
2008084749.tif 000002
【特許請求の範囲】
【請求項１】
内面が光反射面とされ屋外から光を導入する光ダクトが結合される光ダクト用放光装置であって、
入射した光の少なくとも一部を遮断する遮光部材と、
前記遮光部材を前記光ダクトの放光口の直下域の少なくとも一部を含む領域において支持する支持手段と、
を備えたことを特徴とする光ダクト用放光装置。
【請求項２】
前記遮光部材は、前記光ダクトの下端部の中心軸上に配置されていることを特徴とする請求項１記載の光ダクト用放光装置。
【請求項３】
内面が光反射面とされ屋外から光を導入する光ダクトが結合される光ダクト用放光装置であって、
入射した光の少なくとも一部を遮断する遮光部材と、
前記遮光部材の上面が前記光ダクトの内部における前記光ダクトを通過する光の一部が入射するような領域に配置されるように、前記遮光部材を支持する支持手段と、
を備えたことを特徴とする光ダクト用放光装置。
【請求項４】
前記遮光部材は、前記光ダクトの下端部の中心軸に交差する方向に移動可能とされていることを特徴とする請求項１〜３のいずれか１つに記載の光ダクト用放光装置。
【請求項５】
前記遮光部材は、太陽高度が高いほど、前記光ダクトを通過する全光量に対する前記遮光部材に遮光される光量の割合が高くなるような位置に配置されていることを特徴とする請求項１〜３のいずれか１つに記載の光ダクト用放光装置。
【請求項６】
前記遮光部材の上面に取り付けられ、光量を検知する光量センサと、
前記遮光部材の下面に取り付けられ、前記光量センサの検知結果に基づいて動作する光源と、
をさらに備えたことを特徴とする請求項１〜５のいずれか１つに記載の光ダクト用放光装置。
【発明の詳細な説明】
【技術分野】
【０００１】
本発明は、光ダクト用放光装置に関し、特に、屋外から光を導入する光ダクトが結合される光ダクト用放光装置に関する。
【背景技術】
【０００２】
近年、住宅等の建築物に光ダクトを設ける技術が開発されている。光ダクトとは、建築物の屋外から屋内まで連通し、その内面が光反射面となった筒状の部材であり、屋外の自然光を屋内に導入するものである。建築物にこのような光ダクトを設けることにより、日中の豊富な自然光を室内の照明に利用することができるため、照明コストを節約し、省エネルギー効果及び環境負荷軽減効果を得ることができる。また、室内に自然光を導入することにより、室内の居住性を向上させることができる。
【０００３】
しかしながら、通常、採光効率を高くするために、光ダクトの採光口は建築物の屋上に上方に向けて設置されている。このため、冬季や朝方、夕方などに十分な量の採光が得られるように光ダクトを設計すると、夏の昼間のように太陽の高度が高いときには、過多量の光が光ダクトを介して室内に導入されてしまい、室内にいる居住者が眩しさを感じるという問題がある。
【０００４】
そこで、特許文献１には、光ダクトの放光口にブラインドを設ける技術が開示されている。これにより、室内にいる居住者がブラインドを開閉することにより、放光口から室内に導入される光量を適宜調整することができる。また、特許文献２には、光ダクトの採光口に２枚の平板プリズムを相互に回転可能に設け、コンピュータにより制御されたモータによって、平板プリズム間のひねり角を設定する技術が開示されている。特許文献２には、コンピュータに予め適当なプログラム及びデータを入力しておくことにより、各季節及び各時刻における太陽の位置に応じて適正な採光を行うことができると記載されている。また、特許文献２には、平板プリズム間のひねり角を所定の角度に設定することにより、入射光を全反射し、室内への導光を遮断することができると記載されている。
【０００５】
しかしながら、特許文献１に記載された技術においては、光量を調節する際に、居住者がその都度自分でブラインドを操作しなくてはならず、不便である。また、特許文献２に記載された技術においては、専用のコンピュータ、モータ、２枚のプリズム、モータの動作をプリズムに伝達する伝達機構などが必要となり、構成が大がかりとなる。また、コンピュータに入力しておくプログラム及びデータも建築物の場所や方位に応じて専用化する必要がある。このため、設備コストが極めて高くなり、現実的ではない。
【０００６】
【特許文献１】実開昭５９−６１４０６号公報
【特許文献２】特開平８−１７２１９号公報
【発明の開示】
【発明が解決しようとする課題】
【０００７】
本発明の目的は、光ダクトが結合される光ダクト用放光装置であって、コストが低く、太陽の高度が高いときに自動的に減光することができる光ダクト用放光装置を提供することである。
【課題を解決するための手段】
【０００８】
本発明の一態様によれば、内面が光反射面とされ屋外から光を導入する光ダクトが結合される光ダクト用放光装置であって、入射した光の少なくとも一部を遮断する遮光部材と、前記遮光部材を前記光ダクトの放光口の直下域の少なくとも一部を含む領域において支持する支持手段と、を備えたことを特徴とする光ダクト用放光装置が提供される。
【０００９】
本発明の他の一態様によれば、内面が光反射面とされ屋外から光を導入する光ダクトが結合される光ダクト用放光装置であって、入射した光の少なくとも一部を遮断する遮光部材と、前記遮光部材の上面が前記光ダクトの内部における前記光ダクトを通過する光の一部が入射するような領域に配置されるように、前記遮光部材を支持する支持手段と、を備えたことを特徴とする光ダクト用放光装置が提供される。
【発明の効果】
【００１０】
本発明によれば、光ダクトが結合され、コストが低く、太陽の高度が高いときに自動的に減光することができる光ダクト用放光装置を実現することができる。
【発明を実施するための最良の形態】
【００１１】
以下、図面を参照しつつ本発明の実施形態について説明する。  
以下で説明する各実施形態においては、光ダクト用放光装置が浴室ユニットの天井に取り付けられている例について説明する。  
先ず、第１の実施形態について説明する。  
図１は、第１の実施形態における浴室ユニットが設けられた建築物を例示する模式的断面図であり、  
図２は、この浴室ユニットを例示する斜視図であり、  
図３は、この浴室ユニットに設けられた光ダクト用放光装置を例示する斜視図であり、
図４は、この光ダクト用放光装置を例示する断面図である。
【００１２】
図１に示すように、本実施形態において、浴室ユニット１は、建築物、例えば住宅１０１に設置されている。住宅１０１には、光ダクト１０２が略垂直方向に延びるように配設されており、その上端は例えば住宅１０１の屋根に設けられた採光部１０３に結合されており、下端は浴室ユニット１の天井４に結合されている。採光部１０３は、透明板からなるドームによって覆われており、砂や埃は通過させないが光は透過させる。光ダクト１０２の形状は例えば円筒形であり、その内部は中空であり、その内面は光反射面となっている。なお、本明細書において、「光反射面」とは、光を反射するときに、光の入射角と出射角との間にある程度の依存性が生じる面をいう。光反射面は、例えば鏡面である。このような光反射面は、例えば、アルミニウム若しくはステンレスなどの金属面、又はこれらの金属面の表面に酸化アルミニウム若しくは樹脂などの被覆層が積層された面により形成することができる。これにより、光ダクト１０２は、住宅１０１の外部から採光部１０３を介して導入された太陽光を、その内面において反射しつつ導光して、浴室ユニット１の内部に導入する。
【００１３】
浴室ユニット１においては、床の一方の側に浴槽２が設けられており、他方の側が洗い場３となっている。浴室ユニット１の天井４には放光口６が形成されている。光ダクト１０２の下端面は放光口６において開口しており、光ダクト１０２によって導入された太陽光を浴室ユニット１内に放光する。また、天井４における放光口６の下方には、ブラケット７が取り付けられている。
【００１４】
また、図２に示すように、浴室ユニット１の天井４には、放光口６の他に、例えば、点検口（図示せず）及び排気口（図示せず）が設けられている。更に、例えば、浴室ユニット１の側壁１４のうち、浴槽２の足側に位置する面における洗い場３側の領域には、入浴者のほぼ全身が映せるような大型の鏡１５が取り付けられている。また、鏡１５の向かって右側の側方には多段の収納棚１６が造り付けられており、鏡１５の向かって左側の側方にはシャワー１７が取り付けられており、鏡１５の下方にはカウンター１８が設けられている。
【００１５】
図３及び図４に示すように、ブラケット７の形状は例えば円筒形であり、その中心軸は垂直方向に延びている。ブラケット７の側面８及び底面における周辺領域９は、光を透過させる透明な材料により形成されており、例えば、透明な樹脂により形成されている。一方、ブラケット７の底面における中央領域には、遮光部材として円板状の反射板１０がはめ込まれている。すなわち、反射板１０は、放光口６の直下域１１の一部に配置されている。反射板１０の上面は、放光口６から入射した光を放光口６に向けて反射する反射面１０ａとなっている。また、反射板１０は、光ダクト１０２の下端部、すなわち、浴室ユニット１に連結されている部分の中心軸Ｃ上に配置されている。このように、ブラケット７は、反射板１０を光ダクト１０２の放光口６の直下域の一部において支持する支持手段として機能する。また、反射板１０及びブラケット７により、本実施形態に係る光ダクト用放光装置が構成されている。
【００１６】
なお、遮光部材として、反射板１０の替わりに、入射した光の一部のみを反射するハーフミラーが設けられていてもよい。また、入射した光を吸収する吸収板が設けられていてもよく、入射した光の一部を吸収し残部を透過させる減衰板が設けられていてもよい。更に、入射した光を拡散させる拡散板、例えば、乳白色板が設けられていてもよい。反射板１０の替わりにハーフミラー、減衰板又は拡散板を設ける場合は、これらの透光率を、ブラケット７の側面８及び底面の周辺領域９の透光率よりも低くする。このように、本実施形態においては、ブラケット７の底面の中央領域に、入射した光の少なくとも一部を、反射、吸収、拡散その他の何らかの方法により遮断する遮光部材が設けられている。
【００１７】
次に、本実施形態の動作について説明する。  
図５は、本実施形態に係る光ダクト用放光装置の動作を例示する光学モデル図である。なお、図５には、光学的要素として、光ダクト１０２及び反射板１０のみを示している。
図１に示すように、住宅１０１の外部から、太陽光が採光部１０３を介して光ダクト１０２の内部に導入される。この太陽光は、光ダクト１０２の内面によって繰り返し反射されながら光ダクト１０２内を伝導し、放光口６から出射し、ブラケット７を介して、浴室ユニット１の内部に導入される。
【００１８】
このとき、夏季の昼間のように、太陽高度が高いときは、太陽光Ｌｈは高い角度、すなわち、光ダクト１０２の中心軸Ｃに対して小さな傾斜角で光ダクト１０２内に入射する。例えば、東京における夏至の太陽の南中高度は約７８度となるため、中心軸Ｃに対する傾斜角は約１２度となる。一方、冬季、朝方及び夕方のように、太陽高度が低いときは、太陽光Ｌｌは低い角度で光ダクト１０２内に入射する。
【００１９】
そして、図５に示すように、光ダクト１０２の内面が垂直であると、太陽光が光ダクト１０２の内面で反射を繰り返しても、中心軸Ｃに対する角度はほぼ保持されるため、太陽光が放光口６から出射するときに中心軸Ｃに対してなす角度は、この太陽光が光ダクト１０２に入射したときに中心軸Ｃに対してなした角度と略等しくなる。このため、太陽光が高い角度で光ダクト１０２内に入射した場合は、放光口６から略下方に向けて放光され、低い角度で光ダクト１０２内に入射した場合は、放光口６から斜め下方に向けて放光される。すなわち、反射板１０の反射面１０ａを含む仮想的な水平面において、高い角度で入射した太陽光Ｌｈが到達する領域Ｒｈは、低い角度で入射した太陽光Ｌｌが到達する領域Ｒｌよりも、中心軸Ｃに近い位置となる。図５に示す例では、領域Ｒｈは中心軸Ｃと交差する円形の領域であり、領域Ｒｌは中心軸Ｃと交差しない円環状の領域である。そして、反射板１０は領域Ｒｈ内に位置し、領域Ｒｌ内には位置していない。
【００２０】
このため、反射板１０は、高い角度で入射した太陽光Ｌｈの一部を光ダクト１０２側に向けて反射することにより遮断するが、低い角度で入射した太陽光Ｌｌはほとんど遮断しない。従って、光ダクト１０２を通過する全光量に対する反射板１０に遮光される光量の割合を「遮光率」と定義すると、太陽光Ｌｈの遮光率は、太陽光Ｌｌの遮光率よりも高い。そして、太陽光の一部が反射板１０に到達するような太陽高度範囲では、太陽高度が増加すると遮光率も増加する。換言すれば、反射板１０は、太陽高度が高いほど遮光率が高くなる位置に配置されている。これにより、夏季の昼間など、太陽高度が高いときには、反射板１０が浴室ユニット１（図１参照）内に導入される光量を制限し、入浴者が眩しいと感じることを防止できる。一方、冬季、朝方及び夕方など、太陽高度が低いときには、浴室ユニット１内に導入される光量を制限せず、十分な光量を確保することができる。
【００２１】
次に、本実施形態の効果について説明する。  
上述の如く、本実施形態によれば、放光口の直下域の一部に反射板を設けることにより、太陽高度に応じて浴室ユニット内に導入される光量を調整することができる。これにより、太陽高度が低いときには十分な光量を確保し、太陽高度が高いときには光量を制限して入浴者に眩しさを感じさせない。また、この調整は入浴者の操作を必要とせず、自動的に行うことができる。更に、本実施形態の構成は、通常のブラケットの底面に反射板などの遮光部材を設けるだけで実現することができるため、設備コストが低い。更にまた、本実施形態の構成は電気部品を含まないため漏電及び感電に対する対策が不要であり、可動部分を含まないため故障することがない。
【００２２】
次に、第１の実施形態の第１の変形例について説明する。  
図６は、本変形例に係る光ダクト用放光装置を例示する光学モデル図である。  
前述の第１の実施形態においては、反射板１０は放光口６の直下域１１の一部にのみ配置されていたが、本変形例においては、図６に示すように、反射板１０は放光口６の直下域１１の全領域に配置されている。これにより、反射板１０の反射面１０ａを含む仮想的な水平面において、太陽高度が高いときの太陽光Ｌｈが照射される領域Ｒｈに占める反射面１０ａの割合が高くなり、太陽光Ｌｈの遮光率が向上する。また、ブラケット７（図３参照）の底面全体を１枚の遮光板１０により構成することができるため、ブラケットの製造が容易になる。本実施形態における上記以外の構成、動作及び効果は、前述の第１の実施形態と同様である。
【００２３】
次に、第１の実施形態の第２の変形例について説明する。  
図７は、本変形例に係る光ダクト用放光装置を例示する光学モデル図である。  
図７に示すように、本変形例においては、反射板１０を放光口６の直下域１１よりも広い領域、すなわち、直下域１１を含む領域に配置している。このような構成は、ブラケットの内径を光ダクト１０２の内径よりも大きくし、このブラケットの底面全体を反射板とすることにより実現することができる。一般に、放光口６と反射板１０との間の距離が一定であれば、反射板１０の面積を大きくするほど、放光口６から見た反射板１０の見かけの面積が大きくなり、遮光率が向上する。図７に示す例では、反射板１０は、太陽高度が高いときの太陽光Ｌｈ全体を遮断している。本実施形態における上記以外の構成、動作及び効果は、前述の第１の実施形態と同様である。
【００２４】
なお、反射板１０は、放光口６の直下域１１の一部及び直下域１１外の領域の一部からなる領域に設けてもよい。すなわち、反射板１０は、放光口６の直下域１１の少なくとも一部を含む領域に配置されていればよい。また、前述の第１の実施形態並びにその第１及び第２の変形例においては、反射板１０をブラケット７の底面に設ける例を示したが、本発明はこれに限定されない。例えば、反射板１０は支持脚などにより天井４から吊してもよい。また、反射板１０を放光口６に対して着脱可能としてもよい。これにより、太陽高度が高いときでも、入浴者がより多くの太陽光を浴びたいときは、反射板１０を取り外すことにより、浴室ユニット内に導入される光量を増やすことができる。
【００２５】
次に、本発明の第２の実施形態について説明する。  
図８は、本実施形態に係る光ダクト用放光装置を例示する断面図である。  
図８に示すように、本実施形態においては、反射板１０の上面、すなわち、反射面１０ａが、光ダクト１０２の下端面に配置されている。すなわち、反射面１０ａは、光ダクト１０２の内部に配置されている。具体的には、支持手段として、光ダクト１０２の下端面に円環状の透明板２１が取り付けられており、透明板２１の開口部に反射板１０がはめ込まれている。反射板１０は、遮光率、すなわち、光ダクト１０２を通過する全光量に対する反射板１０に遮光される光量の割合が、太陽高度が高いほど高くなるような位置に配置されている。また、透明板２１の下面及び反射板１０の下面は、浴室ユニットの天井４の下面と略同一平面をなしている。なお、光ダクト１０２の下端部は、浴室ユニットの天井４の下方まで延出していてもよい。本実施形態における上記以外の構成は、前述の第１の実施形態と同様である。
【００２６】
次に、本実施形態の動作について説明する。  
図９は、本実施形態に係る光ダクト用放光装置の動作を例示する光学モデル図である。なお、図９には、光学的要素として、光ダクト１０２及び反射板１０のみを示している。
図９に示すように、光ダクト１０２を通過する太陽光のうち、太陽高度が高いときの太陽光Ｌｈは、その一部が反射板１０に到達し、上方に向けて反射されることにより遮断され、残部は透明板２１に到達し、透明板２１を通過して、浴室ユニット内に導入される。また、太陽高度が低いときの太陽光Ｌｌも、その一部は反射板１０に到達して遮断され、残部は透明板２１に到達して浴室ユニット内に導入される。
【００２７】
光ダクト１０２内に導入された太陽光は、光ダクト１０２の内面によって何回も反射されるため、光ダクト１０２の中心軸に対する角度はほぼ保持されるものの、この中心軸に直交する平面（水平面）における光量分布は複雑に変化する。しかし、この光量分布の変化は、太陽光の入射角、すなわち、太陽高度に依存するため、光ダクト１０２の下端面における光量が集中する領域は、太陽高度によって異なる。そして、本実施形態においては、反射板１０が太陽高度が高いほど遮光率が高くなるような位置に配置されているため、太陽光Ｌｈを太陽光Ｌｌよりも高い遮光率で遮断する。
【００２８】
この結果、太陽高度に応じて浴室ユニット内に導入される光量を自動的に調整することができ、夏季の昼間には入浴者に眩しさを感じさせず、冬季、朝方及び夕方には十分な光量を導入することができる。本実施形態における上記以外の動作及び効果は、前述の第１の実施形態と同様である。
【００２９】
次に、第２の実施形態の第１の変形例について説明する。  
図１０は、本変形例に係る光ダクト用放光装置を例示する下面図である。  
図１０に示すように、本変形例においては、前述の第２の実施形態と比較して、光ダクト１０２の下端に、支持手段として、透明板２１（図８参照）の替わりに透明板２２が設けられている。透明板２２は自転自在とされている。また、透明板２２には、透明板２２の中心部から周辺部まで延びる長穴２２ａが形成されており、反射板１０は、長穴２２ａ内を移動可能とされている。
【００３０】
本変形例によれば、反射板１０を長穴２２ａに沿って移動させることにより、反射板１０を透明板２２の半径方向における任意の位置に配置することができる。また、透明板２２を自転させることにより、反射板１０を透明板２２の周方向における任意の位置に配置することができる。すなわち、反射板１０は、光ダクト１０２の下端部の中心軸Ｃに交差する方向（水平方向）に移動可能とされている。この結果、反射板１０を、光ダクト１０２の下端面内の任意の位置に位置させることができる。
【００３１】
一般に、放光口６における反射板１０の最適位置、すなわち、太陽高度が高いほど遮光率が高くなるような位置は、光ダクト１０２の長さ及び内径によって異なり、また、光ダクトの断面形状、配設角度、建築物が建設される土地の緯度などによっても異なる。このため、光ダクト１０２及び浴室ユニットの設置後に、放光口６内における反射板１０の位置を調節できると便利である。本変形例においては、光ダクト１０２の下端部を上述の如く構成することにより、反射板１０の位置を調節し、最適位置を探すことができる。本変形例における上記以外の構成、動作及び効果は、前述の第２の実施形態と同様である。
【００３２】
次に、第２の実施形態の第２の変形例について説明する。  
図１１は、本変形例に係る光ダクト用放光装置を例示する光学モデル図である。  
図１１に示すように、本変形例においては、反射板１０全体が光ダクト１０２の内部に配置されている。そして、反射板１０は、太陽高度が高いほど遮光率が高くなるような位置に配置されており、例えば、反射面１０ａを含む平面における太陽高度が高いときの太陽光Ｌｈが集中する領域をカバーする位置に配置されている。反射板１０を支持する支持手段には、例えば、光ダクト１０２の内面から突き出た梁（図示せず）などを用いることができる。本変形例における上記以外の構成、動作及び効果は、前述の第２の実施形態と同様である。
【００３３】
次に、本発明の第３の実施形態について説明する。  
図１２（ａ）は、本実施形態に係る光ダクト用放光装置を例示する断面図であり、（ｂ）はその下面図である。なお、図１２（ｂ）においては、図を見易くするために、ブラケットは図示を省略されている。
【００３４】
図１２（ａ）に示すように、本実施形態の浴室ユニットにおいては、天井４に形成された放光口６に、ブラケット２７が取り付けられている。ブラケット２７は、光を拡散させながら透過させる透光材料、例えば乳白色の樹脂材料からなり、下方に凸になるように配置されたドーム状の部分を持つ部材である。ブラケット２７においては、略半球状のドーム状部分２７ａと、ドーム状部分２７ａの外縁部から中心に向かって延出した円環板状部分２７ｂと、円環板状部分２７ｂの内縁部からドーム状部分２７ａに対して離隔する方向に起立した円筒状部分２７ｃと、が一体的に成形されている。
【００３５】
ドーム状部分２７ａは、天井４から下方に突出している。また、円筒状部分２７ｃの外面には、ネジ溝２８が形成されている。一方、放光口６の内面の下部には、ネジ溝２８に螺合するようなネジ溝２９が形成されている。更に、ブラケット２７の上端部には、環状のパッキン３０が設けられている。ブラケット２７は、ネジ溝２８が放光口６のネジ溝２９に螺合することにより、パッキン３０と共に天井４に固定される。更にまた、放光口６の上部の内面及びブラケット２７の円筒状部分２７ｃの内面は、例えばアルミニウムなどがコーティングされることにより、光反射面となっている。これにより、放光口６の内面及び円筒状部分２７ｃの内面は、光ダクト１０２の内面と共に、略連続した光反射面を形成している。
【００３６】
図１２（ａ）及び（ｂ）に示すように、放光口６の内面における光反射面とされている領域の下端部には、支持手段として、例えば４本の梁３１が取り付けられている。４本の梁３１は、放光口６の内面における放光口６の中心軸から見て相互に例えば９０度離隔した位置から放光口６の中心に向かって水平に延び、放光口６の中心領域において円板状の遮光板３２を支持している。遮光板３２の直径は光ダクト１０２の内径よりも小さく、遮光板３２は光ダクト１０２の軸直交断面の一部を占めている。
【００３７】
また、遮光板３２の上面には、光量を検知する光量センサ３３が取り付けられている。更に、遮光板３２の下面には、光源３４が取り付けられている。光源３４は、例えば電球又はボール状の蛍光灯などの人工照明である。光源３４は光量センサ３３に接続されており、光量センサ３３の検知結果に基づいて動作する。すなわち、光量センサ３３により検知された光量が予め設定された基準値よりも多いときは、光源３４は消灯し、光量が基準値よりも少ないときは、光源３４は点灯する。ブラケット２７、梁３１、遮光板３２、光量センサ３３及び光源３４により、本実施形態に係る光ダクト用放光装置が構成されている。本実施形態における上記以外の構成は、前述の第２の実施形態と同様である。
【００３８】
本実施形態においては、光量センサ３３が光ダクト１０２内を通過する光の光量を検知し、光量が基準値よりも多いときは光源３４を消灯し、光量が基準値よりも少ないときは光源３４を点灯する。これにより、夕方及び夜など、太陽光の導入量が少ないか又は無いときに、光源３４が自動的に点灯し、浴室ユニット内を照明することができる。また、本実施形態においては、光量センサ３３及び光源３４は、それぞれ遮光板３２の上面及び下面に取り付けられているため、光量センサ３３及び光源３４を設けることにより、放光口６の有効断面積が減少することがない。これにより、前述の第２の実施形態の効果を実現しつつ、上述の自動照明の効果も得ることができる。本実施形態における上記以外の動作及び効果は、前述の第２の実施形態と同様である。
【００３９】
次に、本発明の第４の実施形態について説明する。  
図１３は、本実施形態に係る光ダクト用放光装置を例示する断面図である。  
図１３に示すように、本実施形態の浴室ユニットにおいては、天井４から、放光口６の直下域に位置するように、光反射部材３７が吊り下げられている。光反射部材３７においては、支持脚３８、光反射板３９及び光反射体４０が設けられている。支持脚３８は、例えば垂直方向に延びる棒状の部材であり、例えば４本設けられており、その上端部が天井４に取り付けられている。光反射板３９は、例えば矩形の板状部材であり、その４つの角部がそれぞれ支持脚３８の下端部に連結されており、放光口６の直下域を含む領域において、天井４に対して略平行に支持されている。下方から見て、光反射板３９の外縁は放光口６の外縁の外側にある。このため、入浴者から見て、放光口６は光反射板３９により隠されている。光反射板３９の上面は光反射面、例えば、鏡面又は白色面とされている。
【００４０】
また、光反射板３９の上面における放光口６の直下域には、光反射体４０が取り付けられている。光反射体４０には、天井４の下面に対して傾斜した光反射面４０ａが形成されており、この光反射面４０ａにより、放光口６から出射された光を側方に向けて反射する。例えば、光反射体４０の形状は四角錐体であり、その４つの側面が光反射面４０ａとされており、その頂点が上方を向くように配置されている。そして、各光反射面４０ａは、天井４の４辺の端縁部のそれぞれに向いている。
【００４１】
なお、放光口６には、光を透過させる光透過板４２がはめ込まれている。光透過板４２は、例えば、透明樹脂からなる透明板又は乳白色の樹脂からなる半透明板である。また、天井４、光透過板４２及び光ダクト１０２の連結部分には、リング状のパッキン４３が設けられている。これにより、放光口６の水密性が担保されている。
【００４２】
更に、光ダクト１０２の内部には、遮光部材として、円板状の遮光板４４が設けられている。遮光板４４の直径は光ダクト１０２の内径よりも小さく、遮光板４４は光ダクト１０２の軸直交断面の一部、例えば中央領域を占めている。遮光板４４は、例えば、図１２に示すような梁などにより、支持されている。遮光板４４の上面には、光量を検知する光量センサ３３が取り付けられている。一方、遮光板４４の下面には、光源３４が取り付けられている。光源３４は、例えば電球又はボール状の蛍光灯などの人工照明である。光源３４は、光量センサ３３により検知された光量が基準値よりも多いときに消灯し、光量が基準値よりも少ないときに点灯する。なお、光量センサ３３及び光源３４は、光ダクト１０２とは別体で設置されるものであってもよい。光反射部材３７、遮光板４４、梁（図示せず）、光量センサ３３及び光源３４により、本実施形態に係る光ダクト用放光装置が構成されている。本実施形態における上記以外の構成は、前述の第２の実施形態と同様である。
【００４３】
本実施形態においては、光量センサ３３が光ダクト１０２内を通過する光の光量を検知し、光量が基準値よりも多いときは光源３４を消灯し、光量が基準値よりも少ないときは光源３４を点灯する。これにより、太陽光の導入量が少ないときに、光源３４が自動的に点灯し、浴室ユニット内を照明することができる。また、本実施形態においては、光量センサ３３及び光源３４は、それぞれ遮光板４４の上面及び下面に取り付けられているため、光量センサ３３及び光源３４を設けることにより、放光口６の有効断面積が減少することがない。これにより、前述の第２の実施形態の効果を実現しつつ、上述の自動照明の効果も得ることができる。
【００４４】
また、放光口６から出射した光のうち、略直下に向けて出射した光は、光反射部材３７の光反射体４０の光反射面４０ａに到達し、この光反射面４０ａによって側方に向けて反射され、天井４に直接照射されるか、又は光反射板３９の上面によって反射された後、天井４に照射される。一方、放光口６から出射した光のうち、斜め下方に向けて出射した光は、光反射板３９の上面に到達し、この上面によって反射されて、天井４に照射される。これにより、天井４を照明すると共に、天井４を加熱して、乾燥させる。この結果、太陽光が天井４に直接照射されて、天井４を乾燥させるため、天井４におけるカビの発生を防止することができる。また、天井４からの反射光により浴室ユニット１内を照明しているため、柔らかく、影ができにくい間接照明を実現することができる。
【００４５】
更に、本実施形態においては、光反射体４０の形状を四角錐体としているため、矩形の天井４の隅々まで光を供給することができる。これにより、特にカビが発生しやすい天井４の周辺領域、すなわち、４辺の端縁領域に対して光を確実に供給し、これらの端縁領域におけるカビの発生をより確実に防止することができる。また、より均一な間接照明を実現することができる。本実施形態における上記以外の動作及び効果は、前述の第２の実施形態と同様である。
【００４６】
以上、実施形態を参照しつつ、本発明の特徴を説明した。しかし、本発明は、これらの実施形態に限定されるものではなく、例えば、前述の各実施形態は相互に組み合わせて実施してもよい。例えば、第１の実施形態（図１乃至図５参照）における反射板が放光口の直下域に配置された浴室ユニットにおいて、第２の実施形態の第１の変形例（図１０参照）のように、反射板を水平面内で移動可能としてもよく、第３及び第４の実施形態（図１２及び図１３参照）のように、反射板の上下に光量センサ及び光源を設けてもよい。
【００４７】
また、前述の各実施形態に係る光ダクト用放光装置を構成するいずれかの要素について、当業者が適宜追加、省略又は設計変更を加えたものであっても、本発明の要旨を備えたものであれば、本発明の範囲に包含される。例えば、光ダクトの形状は円筒形に限定されず、例えば、四角筒形であってもよい。また、光ダクトが延びる方向は、垂直方向には限定されず、光ダクトに入射する太陽光の入射角度と放光口から出射される太陽光の出射角度との間にある程度の依存性が保持できればよく、垂直方向に対して傾斜していてもよい。更に、前述の各実施形態においては、光ダクト用放光装置が浴室ユニットに取り付けられる例を示したが、本発明はこれに限定されず、光ダクト用放光装置は、浴室ユニット以外の屋内空間、例えば、住宅の居間、廊下、オフィスビルの居室、商業用ビルの地下室などに取り付けられてもよく、高速道路のトンネルなどに取り付けられていてもよい。
【図面の簡単な説明】
【００４８】
【図１】本発明の第１の実施形態における浴室ユニットが設けられた建築物を例示する模式的断面図である。
【図２】第１の実施形態における浴室ユニットを例示する斜視図である。
【図３】第１の実施形態に係る光ダクト用放光装置を例示する斜視図である。
【図４】第１の実施形態に係る光ダクト用放光装置を例示する断面図である。
【図５】第１の実施形態に係る光ダクト用放光装置の動作を例示する光学モデル図である。
【図６】第１の実施形態の第１の変形例に係る光ダクト用放光装置を例示する光学モデル図である。
【図７】第１の実施形態の第２の変形例に係る光ダクト用放光装置を例示する光学モデル図である。
【図８】本発明の第２の実施形態に係る光ダクト用放光装置を例示する断面図である。
【図９】第２の実施形態に係る光ダクト用放光装置の動作を例示する光学モデル図である。
【図１０】第２の実施形態の第１の変形例に係る光ダクト用放光装置を例示する下面図である。
【図１１】第２の実施形態の第２の変形例に係る光ダクト用放光装置を例示する光学モデル図である。
【図１２】（ａ）は、本発明の第３の実施形態に係る光ダクト用放光装置を例示する断面図であり、（ｂ）はその下面図である。
【図１３】本発明の第４の実施形態に係る光ダクト用放光装置を例示する断面図である。
【符号の説明】
【００４９】
１  浴室ユニット、２  浴槽、３  洗い場、４  天井、６  放光口、７  ブラケット、８  側面、９  周辺領域、１０  反射板、１０ａ  反射面、１１  放光口の直下域、１４  側壁、１５  鏡、１６  収納棚、１７  シャワー、１８  カウンター、２１、２２  透明板、２２ａ  長穴、２７  ブラケット、２７ａ  ドーム状部分、２７ｂ  円環板状部分、２７ｃ  円筒状部分、２８、２９  ネジ溝、３０  パッキン、３１  梁、３２  遮光板、３３  光量センサ、３４  光源、３７  光反射部材、３８  支持脚、３９  光反射板、４０  光反射体、４０ａ  光反射面、４２  光透過板、４３  パッキン、４４  遮光板、１０１  住宅、１０２  光ダクト、１０３  採光部、Ｃ  中心軸、Ｌｈ、Ｌｌ  太陽光、Ｒｈ、Ｒｌ  太陽光が到達する領域
【図１】
2008084749.tif 000003
【図２】
2008084749.tif 000004
【図３】
2008084749.tif 000005
【図４】
2008084749.tif 000006
【図５】
2008084749.tif 000007
【図６】
2008084749.tif 000008
【図７】
2008084749.tif 000009
【図８】
2008084749.tif 000010
【図９】
2008084749.tif 000011
【図１０】
2008084749.tif 000012
【図１１】
2008084749.tif 000013
【図１２】
2008084749.tif 000014
【図１３】
2008084749.tif 000015